(57)【要約】【課題】ユーザが違和感を抱くことなくチャンネルの切り替えを行うことができるデジタル放送受信装置を提供する。【解決手段】デジタル放送を受信するデジタル放送受信部１２と、デジタル放送受信部１２が受信しているデジタル放送のチャンネルのチャンネル情報を表示する表示部１４と、デジタル放送受信部１２に受信させるデジタル放送のチャンネルを入力する操作部１５と、を備え、デジタル放送受信部１２が受信するデジタル放送のチャンネルを、操作部１５から入力されたチャンネルに切り替える場合、表示部１４に表示されているチャンネル情報を、操作部１５から入力されたチャンネルのチャンネル情報に段階的に変更する。【選択図】図１
2009118042.tif 000002
【特許請求の範囲】
【請求項１】
デジタル放送を受信するデジタル放送受信部と、
前記デジタル放送受信部が受信しているデジタル放送のチャンネルのチャンネル情報を表示する表示部と、
前記デジタル放送受信部に受信させるデジタル放送のチャンネルを入力する操作部と、を備え、
前記デジタル放送受信部が受信するデジタル放送のチャンネルを、前記操作部から入力されたチャンネルに切り替える場合、
前記表示部に表示されているチャンネル情報を、前記操作部から入力されたチャンネルのチャンネル情報に段階的に変更する
ことを特徴とするデジタル放送受信装置。
【請求項２】
デジタル放送のチャンネルの音声及び／又は映像を外部に出力する出力手段をさらに備え、
前記デジタル放送受信部が受信するデジタル放送のチャンネルを、前記操作部から入力されたチャンネルに切り替える場合、
前記操作部から入力されたチャンネルの音声及び／又は映像の出力が出力手段によって開始されるタイミングと、前記操作部から入力されたチャンネルのチャンネル情報が前記表示部に表示されるタイミングとが同じになるように、前記表示部に表示されているチャンネル情報を段階的に変更する
ことを特徴とする請求項１に記載のデジタル放送受信装置。
【請求項３】
前記チャンネル情報は、少なくともチャンネル番号を含み、
前記デジタル放送受信部が受信するデジタル放送のチャンネルを、前記操作部から入力されたチャンネルに切り替える場合、
前記表示部に表示されているチャンネル番号を、前記操作部から入力されたチャンネルのチャンネル番号へ向かって段階的に変更する
ことを特徴とする請求項１又は２に記載のデジタル放送受信装置。
【請求項４】
前記チャンネル情報は、少なくともチャンネルの周波数を示す周波数データを含み、
前記デジタル放送受信部が受信するデジタル放送のチャンネルを、前記操作部から入力されたチャンネルに切り替える場合、
前記表示部に表示されている周波数データを、前記操作部から入力されたチャンネルの周波数データへ向かって段階的に変更する
ことを特徴とする請求項１乃至３のいずれかに記載のデジタル放送受信装置。
【請求項５】
デジタル放送を受信するデジタル放送受信部と、前記デジタル放送受信部が受信しているデジタル放送のチャンネルのチャンネル情報を表示する表示部と、前記デジタル放送受信部に受信させるデジタル放送のチャンネルを入力する操作部と、を備えるデジタル放送受信装置を制御して、
前記表示部に受信中のデジタル放送のチャンネルのチャンネル情報を表示し、
前記デジタル放送受信部が受信するデジタル放送のチャンネルを、前記操作部から入力されたチャンネルに切り替えるときに、前記表示部に表示されているチャンネル情報を、前記操作部から入力されたチャンネルのチャンネル情報に段階的に変更する
ことを特徴とするデジタル放送受信装置の制御方法。
【請求項６】
デジタル放送受信装置を制御するためのコンピュータにより実行可能な制御プログラムであって、
前記コンピュータにより、デジタル放送を受信するデジタル放送受信部と、前記デジタル放送受信部が受信しているデジタル放送のチャンネルのチャンネル情報を表示する表示部と、前記デジタル放送受信部に受信させるデジタル放送のチャンネルを入力する操作部と、を備えるデジタル放送受信装置を制御して、
前記表示部に受信中のデジタル放送のチャンネル情報を表示させ、
前記デジタル放送受信部が受信するデジタル放送のチャンネルを、前記操作部から入力されたチャンネルに切り替えるときに、前記表示部に表示されているチャンネル情報を、前記操作部から入力されたチャンネルのチャンネル情報に段階的に変更させる
ことを特徴とする制御プログラム。
【発明の詳細な説明】
【技術分野】
【０００１】
本発明は、デジタル放送を受信するデジタル放送受信装置、このデジタル放送受信装置の制御方法及び制御プログラムに関する。
【背景技術】
【０００２】
従来、デジタル放送を受信し、このデジタル放送の音声や映像等を出力するデジタル放送受信装置が知られている（例えば、特許文献１参照）。この種のデジタル放送受信装置では、現在受信中のデジタル放送のチャンネルのチャンネル番号を表示する表示部を備えたものがある。ユーザは、この表示部に表示されたチャンネル番号を参照し、受信しているデジタル放送のチャンネルを容易に知ることができる。
【特許文献１】特開２００３−２１９３７７号公報
【発明の開示】
【発明が解決しようとする課題】
【０００３】
しかしながら、従来のデジタル放送受信装置では、ユーザが受信対象のデジタル放送のチャンネルを切り替えたときに、表示部に表示されるチャンネルはすぐに切り替わるものの、このチャンネルの音声や映像等の出力は、デコード処理に時間を要し、すぐに切り替わらないことがあった。この結果、表示部に表示されたチャンネルが切り替わるタイミングと、このチャンネルの音声や映像等の出力が切り替わるタイミングとにタイムラグが生じ、ユーザが違和感を抱いてしまう、という問題があった。
【０００４】
本発明は、上述した事情に鑑みてなされたものであり、ユーザが違和感を抱くことなくチャンネルの切り替えを行うことができるデジタル放送受信装置を提供することを目的とする。
【課題を解決するための手段】
【０００５】
上記目的を達成するために、本発明は、デジタル放送受信装置において、デジタル放送を受信するデジタル放送受信部と、前記デジタル放送受信部が受信しているデジタル放送のチャンネルのチャンネル情報を表示する表示部と、前記デジタル放送受信部に受信させるデジタル放送のチャンネルを入力する操作部と、を備え、前記デジタル放送受信部が受信するデジタル放送のチャンネルを、前記操作部から入力されたチャンネルに切り替える場合、前記表示部に表示されているチャンネル情報を、前記操作部から入力されたチャンネルのチャンネル情報に段階的に変更することを特徴とする。
この構成によれば、デジタル放送のチャンネルの切り替え時、表示部に表示されているチャンネル情報が、操作部から入力されたチャンネルのチャンネル情報へすぐに切り替わるのではなく、段階的に切り替わるため、操作部から入力されたチャンネルのチャンネル情報の表示タイミングと、チャンネルの音声や映像等の出力のタイミングと、を違和感無く近づけることができる。このため、ユーザがチャンネルの切り替え時に違和感を抱くことが軽減される。
【０００６】
ここで、上記発明のデジタル放送受信装置において、デジタル放送のチャンネルの音声及び／又は映像を外部に出力する出力手段をさらに備え、前記デジタル放送受信部が受信するデジタル放送のチャンネルを、前記操作部から入力されたチャンネルに切り替える場合、前記操作部から入力されたチャンネルの音声及び／又は映像の出力が出力手段によって開始されるタイミングと、前記操作部から入力されたチャンネルのチャンネル情報が前記表示部に表示されるタイミングとが同じになるように、前記表示部に表示されているチャンネル情報を段階的に変更するようにしてもよい。
この構成によれば、チャンネルの音声及び／又は映像が出力されるタイミングと、操作部から入力されたチャンネルのチャンネル情報が表示部に表示されるタイミングとの間に生じるタイムラグが減少し、これにより、ユーザがチャンネルの切り替え時に違和感を抱くことが軽減される。
【０００７】
また、上記発明のデジタル放送受信装置において、前記チャンネル情報は、少なくともチャンネル番号を含み、前記デジタル放送受信部が受信するデジタル放送のチャンネルを、前記操作部から入力されたチャンネルに切り替える場合、前記表示部に表示されているチャンネル番号を、前記操作部から入力されたチャンネルのチャンネル番号へ向かって段階的に変更することを特徴とする。
この構成によれば、操作部から入力されたチャンネルに切り替えた後、表示部の表示が、チャンネル番号を検索動作実行中であるかのような状態となる。ここで、デジタルではなくアナログ放送受信装置では、検索中のチャンネル番号を表示部にリアルタイムに表示するものがあるが、上記構成によれば、表示部の表示が、このアナログ放送受信装置におけるチャンネル番号の検索動作時と同じような状態となるため、アナログ放送受信装置に慣れたユーザであっても違和感を抱くことがない。
【０００８】
また、上記発明のデジタル放送受信装置において、前記チャンネル情報は、少なくともチャンネルの周波数を示す周波数データを含み、前記デジタル放送受信部が受信するデジタル放送のチャンネルを、前記操作部から入力されたチャンネルに切り替える場合、前記表示部に表示されている周波数データを、前記操作部から入力されたチャンネルの周波数データへ向かって段階的に変更することを特徴とするようにしてもよい。
この構成によれば、操作部から入力されたチャンネルに切り替えた後、表示部の表示が、周波数データを検索動作実行中であるかのような状態となる。ここで、デジタルではなくアナログ放送受信装置では、検索中の周波数を表示部にリアルタイムに表示するものがあるが、上記構成によれば、表示部の表示が、このアナログ放送受信装置における周波数の検索動作時と同じような状態となるため、アナログ放送受信装置に慣れたユーザであっても違和感を抱くことがない。
【０００９】
また、上記目的を達成するために、本発明は、デジタル放送を受信するデジタル放送受信部と、前記デジタル放送受信部が受信しているデジタル放送のチャンネルのチャンネル情報を表示する表示部と、前記デジタル放送受信部に受信させるデジタル放送のチャンネルを入力する操作部と、を備えるデジタル放送受信装置を制御して、前記表示部に受信中のデジタル放送のチャンネルのチャンネル情報を表示し、前記デジタル放送受信部が受信するデジタル放送のチャンネルを、前記操作部から入力されたチャンネルに切り替えるときに、前記表示部に表示されているチャンネル情報を、前記操作部から入力されたチャンネルのチャンネル情報に段階的に変更することを特徴とする。
【００１０】
また、上記目的を達成するために、本発明は、デジタル放送受信装置を制御するためのコンピュータにより実行可能な制御プログラムであって、前記コンピュータにより、デジタル放送を受信するデジタル放送受信部と、前記デジタル放送受信部が受信しているデジタル放送のチャンネルのチャンネル情報を表示する表示部と、前記デジタル放送受信部に受信させるデジタル放送のチャンネルを入力する操作部と、を備えるデジタル放送受信装置を制御して、前記表示部に受信中のデジタル放送のチャンネル情報を表示させ、前記デジタル放送受信部が受信するデジタル放送のチャンネルを、前記操作部から入力されたチャンネルに切り替えるときに、前記表示部に表示されているチャンネル情報を、前記操作部から入力されたチャンネルのチャンネル情報に段階的に変更させることを特徴とする。
【発明の効果】
【００１１】
本発明によれば、チャンネルの切り替えが行われた際、表示部に表示されたチャンネルが切り替わるタイミングと、チャンネルの音声や映像等の出力が切り替わるタイミングと、の間に生じるタイムラグが軽減されるため、ユーザは、違和感を抱くことなくチャンネルの切り替えを行うことができる。
【発明を実施するための最良の形態】
【００１２】
以下、図面を参照して本発明の実施の形態について説明する。
図１は、本実施形態に係るデジタル放送受信装置１の機能的構成を示すブロック図である。このデジタル放送受信装置１は、デジタル放送を受信し、このデジタル放送の音声をスピーカ１０から放音（出力）するものであり、図１に示すように、制御部１１と、デジタル放送受信部１２と、Ｄ／Ａコンバータ１３と、表示部１４と、操作部１５と、を備えている。
制御部１１は、デジタル放送受信装置１の各部を中枢的に制御するものであり、演算実行手段としてのＣＰＵや、記憶手段としてのＲＯＭ、ＣＰＵのワークエリアとして機能するＲＡＭを有している。
【００１３】
デジタル放送受信部１２は、アンテナ１６を介して受信した放送信号から音声信号を生成し、出力するものであり、チューナ１７と、デコーダ１８とを備えている。デコーダ１８は、制御部１１の制御の下、チューナ１７を制御して、ユーザによって選択されたデジタル放送のチャンネルの放送信号をデコード処理によって受信・復調し、Ｄ／Ａコンバータ１３に出力する。また、デコーダ１８は、デコーダ制御バス１９を介して制御部１１と信号通信可能に接続されている。
Ｄ／Ａコンバータ１３は、デコーダ１８と音声データバス２０を介して信号通信可能に接続されており、デコーダ１８から入力された信号をデジタル／アナログ変換する。ここでアナログ変換された音声データは、スピーカ１０を介して外部へ放音（出力）される。なお、本実施形態では、デジタル放送受信部１２、Ｄ／Ａコンバータ１３及びスピーカ１０によって、デジタル放送の音声を出力する出力手段が構成される。
表示部１４は、現在実行中の動作モードや、現在時刻等の各種情報を表示する他、現在受信中のデジタル放送のチャンネルに関する情報であるチャンネル情報を表示する。このチャンネル情報は、少なくともデジタル放送のチャンネルのチャンネル番号及び周波数を示す周波数データを含んでいる。この表示部１４は、表示制御バス２１を介して制御部１１と信号通信可能に接続されている。
【００１４】
操作部１５は、動作モードの変更の指示操作や、受信中のデジタル放送のチャンネルの切り替え、受信すべきデジタル放送の指定等、ユーザが各種指示操作を行うためのものであり、チャンネルＵＰ／ＤＯＷＮボタン２２を備えている。このチャンネルＵＰ／ＤＯＷＮボタン２２は、ユーザが受信中のデジタル放送のチャンネルの切り替えを行う際に操作されるボタンであり、現在受信中のデジタル放送のチャンネル番号より大きいチャンネル番号を有するデジタル放送に切り替えるときに操作されるＵＰボタンと、現在受信中のデジタル放送のチャンネル番号より小さいチャンネル番号を有するデジタル放送に切り替えるときに操作されるＤＯＷＮボタンとを備えている。この操作部１５は、操作制御バス２３を介して制御部１１と信号通信可能に接続されている。
【００１５】
上記構成のデジタル放送受信装置１において、現在デコーダ１８が受信しており、スピーカ１０から放音中のデジタル放送のチャンネルをユーザが切り替える場合、ユーザは、チャンネルＵＰ／ＤＯＷＮボタン２２を操作し、チャンネルの切り替えを指示する。このとき、操作部１５と、操作制御バス２３を介して制御部１１にその旨の信号が出力される。この信号が入力された制御部１１は、デコーダ制御バス１９を介して、デコーダ１８に対し、チャンネルの切り替えによって新たに受信すべきチャンネルのチャンネル番号及び周波数データの取得を要求する。すなわち、ユーザが上述したＵＰボタンを操作した場合、制御部１１は、現在受信中のチャンネルのチャンネル番号より大きいチャンネル番号を有し、かつ、受信・放音可能なチャンネルのチャンネル番号及び周波数データを取得する旨の信号をデコーダ１８に出力する。
【００１６】
ここで、受信・放音可能なチャンネルとは、デジタル放送のチャンネルとしてチャンネル番号が割り当てられており、かつ、このデジタル放送をデコーダ１８のデコード処理によって受信・復調しスピーカ１０から音声として放音することができるようなチャンネルのことをいう。逆に、ユーザが上述したＤＯＷＮボタンを操作した場合、制御部１１は、現在受信中のチャンネルのチャンネル番号より小さいチャンネル番号を有し、かつ、受信・放音可能なチャンネルのチャンネル番号及び周波数データを取得する旨の信号をデコーダ１８に出力する。なお、一般的に、複数のチャンネルに対し、連続したチャンネル番号が割り当てられない。
【００１７】
チャンネル番号及び周波数データの取得の要求を受けたデコーダ１８は、チューナ１７及びアンテナ１６を介して、該当するチャンネル番号及び周波数データを取得し、その旨の信号を制御部１１に出力する。この信号が入力された制御部１１は、表示制御バス２１を介して表示部１４を制御することにより、表示部１４に、受信していたデジタル放送のチャンネルのチャンネル番号及び周波数データの表示に代えて、チャンネルの切り替えによって新たに受信することになったチャンネルのチャンネル番号及び周波数データの表示を行う。この間、デコーダ１８は、制御部１１の制御の下、チューナ１７を制御して、チャンネルの切り替えによって新たに受信することになったデジタル放送のチャンネルの放送信号をデコード処理によって受信、復調し、Ｄ／Ａコンバータ１３に出力し、これにより、スピーカ１０からデジタル放送の放音が開始される。
【００１８】
ところで、従来のデジタル放送受信装置１では、ユーザによるデジタル放送のチャンネルの切り替え指示後、新たに受信するチャンネルのチャンネル番号及び周波数データの表示部１４への表示をすぐに行うことができる。これは、制御部１１による表示部１４への各種情報の表示処理は、短時間で実行することができ、デコーダ１８による新たに受信するチャンネルのチャンネル番号及び周波数データの取得後、制御部１１は、これらチャンネル番号及び周波数データの表示処理を短時間で実行するためである。一方、切り替えによって新たに受信するチャンネルに係るデジタル放送のスピーカからの放音は、ユーザによるチャンネルの切り替え後すぐには開始されない。これは、デコーダ１８による放送信号のデコード処理に多少時間を要するためである。
したがって、ユーザによるデジタル放送のチャンネルの切り替え指示後、新たに受信するチャンネルのチャンネル番号及び周波数データが表示部１４に表示されるタイミングと、このチャンネルの音声がスピーカ１０から放音されるタイミングとにタイムラグが生じ、ユーザが違和感を抱いてしまうことがあった。
【００１９】
これを鑑み、本実施形態に係るデジタル放送受信装置１では、以下の動作を実行することにより、表示部１４に新たに受信するチャンネルのチャンネル番号及び周波数データが表示されるタイミングと、このチャンネルの音声がスピーカ１０から放音されるタイミングとに生じるタイムラグを軽減し、これによりユーザの違和感を解消している。以下、フローチャートを参照し、本実施形態に係るデジタル放送受信装置１の動作について詳述する。
【００２０】
図２は、デジタル放送受信装置１の動作を示すフローチャートである。なお、以下の説明において、説明の便宜のため、動作のスタート時点においては、ユーザがこのデジタル放送受信装置１を利用して、デジタル放送を受信中であるものとする。
図２のステップＳＡ１において、デジタル放送受信装置１の制御部１１は、ユーザによってチャンネルＵＰ／ＤＯＷＮボタン２２が指示操作され、現在受信中のデジタル放送のチャンネルの切り替えが指示されたか否かを絶えず監視する。デジタル放送のチャンネルの切り替えが指示された場合（ステップＳＡ１：ＹＥＳ）、制御部１１は、上述したように、デコーダ１８を介して、新たに受信すべきチャンネルのチャンネル番号及び周波数データを取得する（ステップＳＡ２）。そして、制御部１１は、デコーダ１８に対し、新たに受信すべきチャンネルの放送信号のデコード処理を開始する旨の指示を行う（ステップＳＡ３）。このデコード処理の開始指示と共に、制御部１１は、段階的表示処理を実行する（ステップＳＡ４）。
【００２１】
ここで、ステップＳＡ４の段階的表示処理について詳述する。
段階的表示処理とは、新たに受信するチャンネルのチャンネル番号及び周波数データが表示部１４に表示されるタイミングと、このチャンネルの音声がスピーカ１０から放音されるタイミングとの間に生じるタイムラグを軽減するために実行される処理である。具体的に説明すると、仮に、制御部１１がデコーダ１８に対しデコード処理の開始を指示してから、このデコード処理に基づいて音声がスピーカ１０から放音されるまでにかかる時間（以下、「デコード処理必要時間Ｔ１」という）の平均が１秒であるとする。また、仮に、現在受信中のデジタル放送のチャンネルのチャンネル番号がチャンネル１５０であり、周波数データが７８ＭＨｚであるとする。このとき、段階的表示処理開始時においては、図４（状態Ａ）に示すように、表示部１４にチャンネル１５０が表示されると共に、周波数データを示す７８ＭＨｚが表示される。さらに、仮に、ユーザによるチャンネルの切り替えの指示によって新たに受信することになったチャンネルのチャンネル番号がチャンネル１６０であり、周波数データが８３ＭＨｚであるとする。
【００２２】
この場合において、段階的表示処理では、制御部１１は、図４に示すように、段階的表示処理開始時に表示部１４に表示されたチャンネル１５０の表示（図４（状態Ａ））を、２００ミリ秒経過する毎に、チャンネル２つ分だけ増加したチャンネル番号に変更して段階的に表示する（図４（状態Ｂ）〜図４（状態Ｆ））。そして、制御部１１は、段階的表示処理開始から１秒間の間に、表示部１４のチャンネル番号の表示を段階的に５回変更して表示し、１秒後にチャンネル１６０が表示されるようにする。これと同時に、制御部１１は、図４に示すように、段階的表示処理開始時に表示された７８ＭＨｚの表示を、２００ミリ秒経過する毎に、１ＭＨｚ分だけ増加した周波数データに変更して段階的に表示し、１秒後に８３ＭＨｚが表示されるようにする。
【００２３】
このように表示することにより、デコーダ１８がデコード処理を開始してから、このデコード処理に基づいてスピーカ１０から音声が放音されるまでの１秒間の間は、表示部１４におけるチャンネル番号及び周波数データの表示が、新たに受信するチャンネルのチャンネル番号及び周波数データへ向かって段階的に変化し、１秒経過後、スピーカ１０から新たなチャンネルに係るデジタル放送の放音が開始されるのと略同時に、このチャンネルのチャンネル番号及び周波数データが表示部１４に表示されることになる。このため、新たに受信するチャンネルのチャンネル番号及び周波数データの表示部１４への表示のタイミングと、このチャンネルの音声のスピーカ１０からの放音のタイミングが略同一となり、ユーザが上述したようなタイムラグに起因する違和感を抱くことがない。
また、デコーダ１８によるデコード処理開始からスピーカ１０からの放音までの間は、表示部１４があたかもチャンネル番号や周波数データを検索動作実行中であるかのような状態となる。ここで、デジタルではなくアナログ放送受信装置では、受信可能なチャンネル番号や周波数データを検索する動作を行うときに、検索中のチャンネル番号や周波数データを表示部にリアルタイムに表示するものがあるが、本実施形態によれば、表示部１４の表示が、このアナログ放送受信装置におけるチャンネル番号や周波数データの検索動作時と同じような状態となるため、特にアナログ放送受信装置に慣れたユーザ違和感を抱くことがない。
【００２４】
ここで、段階的表示処理の具体的な動作について、図３のフローチャートを用いて説明する。なお、説明の簡略化のため、以下の説明では、表示部１４に表示されたチャンネル番号を段階的に変更・表示する際の動作について説明する。また、説明の便宜のため、上述した例と同様、現在受信中のチャンネルのチャンネル番号はチャンネル１５０であり、チャンネルの切り替え指示によって新たに受信するチャンネルのチャンネル番号はチャンネル１６０であるとする。また、デコード処理必要時間Ｔ１は、１秒であるとする。
【００２５】
図３に示すように、制御部１１は、正の整数の変数である「ｉ」に整数「１」を代入する（ステップＳＢ１）。ここで、変数ｉとは、表示部１４のチャンネル番号の表示の変更回数を管理するための変数であり、この変数ｉの値が、変更回数Ｎを超えた場合に、段階的表示処理が終了する。
その後、制御部１１は、表示待ち時間Ｔ２の間、待機する（ステップＳＢ２）。ここで、表示待ち時間Ｔ２とは、段階的表示処理において段階的にチャンネル番号の表示を変更していく際、ある１つのチャンネル番号の表示を維持する時間のことである。例えば、図４（状態Ｂ）〜図４（状態Ｅ）に示す各表示部１４の表示は、上述したように、それぞれ２００ミリ秒維持され、その後、次の表示に変更されるが、表示待ち時間Ｔ２とは、この２００ミリ秒のことである。本実施形態では、この表示待ち時間Ｔ２は、デコード処理必要時間Ｔ１と、上述した変更回数Ｎとの関係によって定められる。すなわち、デコード処理必要時間Ｔ１を変更回数Ｎで割った値が、表示待ち時間Ｔ２となる（式１）。
表示待ち時間Ｔ２＝デコード処理必要時間Ｔ１／変更回数Ｎ・・・（式１）
この（式１）によって表示待ち時間Ｔ２が定められるため、段階的表示処理の開始後から、デコード処理必要時間Ｔ１の間、表示部１４に表示されたチャンネル番号が一定間隔でＮ回変化する。
【００２６】
表示待ち時間Ｔ２を定めた後、制御部１１は、表示部１４に表示すべきチャンネル番号を計算、取得する（ステップＳＢ３）。ここで、ユーザによるチャンネルの切り替え操作前に受信していたチャンネルのチャンネル番号を切替前チャンネルＢ１とし、切り替え操作によって新たに受信することになったチャンネルのチャンネル番号を切替後チャンネルＢ２とし、段階的表示処理において表示部１４に表示されるチャンネル番号を段階チャンネルＢ３とすると、段階チャンネルＢ３は、以下の式によって定められる。
段階チャンネルＢ３＝切替前チャンネルＢ１＋（変数ｉ×（切替後チャンネルＢ２−切替前チャンネルＢ１）／変更回数Ｎ）・・・（式２）
この（式２）によって段階チャンネルＢ３が定められるため、段階的表示処理において、表示部１４に表示されたチャンネル番号が、切替前チャンネルＢ１から切替後チャンネルＢ２へ向かって、段階的に変更する。
【００２７】
ステップＳＢ３において、段階チャンネルＢ３を取得した後、制御部１１は、表示部１４におけるチャンネル番号の表示を、取得した段階チャンネルＢ３に変更・表示する（ステップＳＢ４）。そして、制御部１１は、変数ｉの値に「１」を足し（ステップＳＢ５）、この変数ｉの値が変更回数Ｎを超えたか否かを判定する（ステップＳＢ６）。変数ｉの値が、変更回数Ｎを超えていないとき、再び、表示待ち時間Ｔ２の経過後、表示部１４に段階チャンネルＢ３を表示するべく、制御部１１は、処理をステップＳＢ２に戻す。
一方、変数ｉの値が変更回数Ｎを超えているとき、表示部１４における切替前チャンネルＢ１から切替後チャンネルＢ２へ至る段階的な表示の変更が終了しているため、制御部１１は、処理を終了する。
【００２８】
以上、段階的表示処理について、表示部１４のチャンネル番号の表示を段階的に表示する場合を例にして説明したが、これは、周波数データを段階的に表示する場合に適用することができる。具体的には、ユーザによるチャンネルの切り替え操作前に受信していたチャンネルの周波数データである切替前周波数Ｓ１を、上記切替前チャンネルＢ１と置き換え、切り替え操作によって新たに受信することになったチャンネルの周波数データである切替後周波数Ｓ２を切替後チャンネルＢ２と置き換え、段階的表示処理において表示部１４に段階的に表示される周波数データである段階周波数Ｓ３を段階チャンネルＢ３と置き換えることにより、段階的表示処理による周波数データの段階的表示を実行することができる。
【００２９】
さて、前掲図２に戻り、ステップ４の段階的表示処理の実行後、制御部１１は、デコーダ１８から、デコード処理に基づいてスピーカ１０からの放音を開始した旨を示す受信完了通知に係る信号を受信したか否かを監視する（ステップＳＡ５）。そして、この受信完了通知を受信した場合、正常にデコード処理が行われているため、制御部１１は、処理を終了する。
【００３０】
以上説明したように、本実施形態では、図２ステップＳＡ４の段階的表示処理において、表示部１４に表示されているチャンネル番号や周波数データ等のチャンネル情報を、操作部１５から入力されたチャンネルのチャンネル情報に段階的に変更する。このため、表示部１４に表示されているチャンネル番号や周波数データ等のチャンネル情報が、操作部１５から入力されたチャンネルのチャンネル情報へすぐに切り替わるのではなく、段階的に切り替わるため、操作部１５から入力されたチャンネルのチャンネル情報の表示タイミングと、チャンネルの音声がスピーカ１０から放音（出力）されるタイミングと、を違和感無く近づけることができる。このため、ユーザがチャンネルの切り替え時に違和感を抱くことが軽減される。
【００３１】
また、本実施形態では、段階的表示処理において、操作部１５の操作によるチャンネルの切り替えによって新たに受信することになったチャンネルのチャンネル番号及び周波数データの表示タイミングと、このチャンネルの音声がスピーカ１０から放音されるタイミングとが同じになるように、表示部１４の表示内容の段階的な表示が行われる。このため、これらタイミング間に生じるタイムラグが減少し、これにより、ユーザがチャンネルの切り替え時に違和感を抱くことが軽減される。
また、本実施形態では、段階的表示処理において、チャンネル番号を段階的に表示する。ここで、デジタルではなくアナログ放送受信装置では、検索中のチャンネル番号を表示部にリアルタイムに表示するものがあるが、本実施形態によれば、表示部１４の表示が、このアナログ放送受信装置におけるチャンネル番号の検索動作時と同じような状態となるため、アナログ放送受信装置に慣れたユーザであっても違和感を抱くことがない。
【００３２】
また、本実施形態では、段階的表示処理において、周波数データを段階的に表示する。ここで、デジタルではなくアナログ放送受信装置では、検索中の周波数データを表示部にリアルタイムに表示するものがあるが、本実施形態によれば、表示部１４の表示が、このアナログ放送受信装置における周波数データの検索動作時と同じような状態となるため、アナログ放送受信装置に慣れたユーザであっても違和感を抱くことがない。
【００３３】
なお、上述した実施の形態は、あくまでも本発明の一態様を示すものであり、本発明の範囲内で任意に変形および応用が可能である。
例えば、本実施形態では、表示部１４におけるチャンネル番号及び周波数データの数字の内容が段階的に変化していく態様を例示したが、本発明の態様はこれに限らず、チャンネルの切替前に、受信中のチャンネルの番組名を表示している場合等に、チャンネルの切り替え後この番組名の表示が段階的に変化し、グラデーションを描きながら、切り替えによって新たに受信することになったチャンネルの番組名を表示するような態様であってもよい。すなわち、切り替えによって新たに受信することになったチャンネルのチャンネル情報が表示されるタイミングと、スピーカ１０から音声が放音されるタイミングとの間に生じるタイムラグが軽減されればよい。
【００３４】
また、本実施形態では、本発明をデジタル放送受信装置１に適用した例を説明したが、本発明が適用される装置はデジタル放送受信装置１に限らず、例えば、デジタル映像を含む放送を受信するデジタル映像受信装置に適用することができる。この場合、例えば、映像の放映と共に、放映中の映像のチャンネル番号を表示部１４に表示している場合において、映像のチャンネルの切り替え後、表示部１４に表示されたチャンネル番号を段階的に変更・表示し、映像が切り替わるタイミングで、表示部１４に表示されたチャンネル番号＿が切り替え後の映像のチャンネル番号となる構成とすれば、放映する映像が切り替わるタイミングと、チャンネル番号が切り替わるタイミングとのタイムラグが軽減され、ユーザが違和感を抱くことが低減される。
【００３５】
また、本実施形態では、デコード処理必要時間Ｔ１を、１秒等、固定的に定義していたが、これは、例えば、デコード処理を開始してからスピーカ１０から音声が出力されるまでの時間を計測し、この計測した時間の平均値を取り、この平均値をデコード処理必要時間Ｔ１と定めてもよい。この構成によれば、表示部１４に表示されるチャンネル番号や周波数データが切り替わるタイミングと、スピーカ１０から音声が放音されるタイミングとの間に生じるタイムラグをさらに軽減することができる。
また、本実施形態では、チャンネルＵＰ／ＤＯＷＮボタン２２の操作指示によってチャンネルを切り替える例を説明したが、これは、操作部１５がテンキーを有する場合、このテンキーの操作によってチャンネル番号を明示的に入力し、チャンネルを切り替える場合であっても、本発明を適用することができる。
【図面の簡単な説明】
【００３６】
【図１】本実施形態に係るデジタル放送受信装置の機能的構成を示すブロック図である。
【図２】デジタル放送受信装置の動作を示すフローチャートである。
【図３】デジタル放送受信装置の段階的表示処理における動作を示すフローチャートである。
【図４】段階的表示処理中の表示部の表示状態の繊維を示す図である。
【符号の説明】
【００３７】
１  デジタル放送受信装置
１０  スピーカ
１１  制御部
１２  デジタル放送受信部
１３  Ｄ／Ａコンバータ
１４  表示部
１５  操作部
１７  チューナ
１８  デコーダ
２２  チャンネルＵＰ／ＤＯＷＮボタン
【図１】
2009118042.tif 000003
【図２】
2009118042.tif 000004
【図３】
2009118042.tif 000005
【図４】
2009118042.tif 000006